(57)【要約】【課題】  幅（間口）の異なる収納ユニットをユーザーの好みに応じて自由にレイアウトが可能なキッチンキャビネットを提供する。【解決手段】  少なくとも幅ｗが異なる収納ユニット３１を一定の高さＴと幅Ｗのキャビネット用スペース内に縦横に並設し、必要な収納ユニット３１同士を連結部３４で連結してフロアキャビネット３を構成し、フロアキャビネット３の上部にカウンター２を設置することで、幅（間口）ｗの異なる収納ユニット３１をユーザーの好みに応じて自由にレイアウトが可能となる。【選択図】      図１
2007000506.tif 000002
【特許請求の範囲】
【請求項１】
少なくとも幅が異なる収納ユニットを一定の高さと幅のキャビネット用スペース内に縦横に並設し、必要な収納ユニット同士を連結部で連結してフロアキャビネットを構成し、フロアキャビネットの上部にカウンターを設置したことを特徴とするキッチンキャビネット。
【請求項２】
前記連結部は、一方が係止凸部であり、他方が係止凹部であって、前記係止凸部と係止凹部とが嵌り合って係止されることを特徴とする請求項１に記載のキッチンキャビネット。
【請求項３】
前記連結部は、一対の係止凸部を有する連結片と、収納ユニットに設けられた係止凹部とからなり、前記連結片の各係止凸部が隣り合う収納ユニットの係止凹部に嵌り合って係止されることを特徴とする請求項１に記載のキッチンキャビネット。
【請求項４】
前記連結部は、上下の収納ユニット間に配設したスペーサ板と収納ユニットとの間に設けて、上下の収納ユニットがスペーサ板を介して係止されることを特徴とする請求項１に記載のキッチンキャビネット。
【発明の詳細な説明】
【技術分野】
【０００１】
本発明は、幅（間口）の異なる収納ユニットを自由にレイアウトが可能なキッチンキャビネットに関するものである。
【背景技術】
【０００２】
キッチンキャビネットは、流し台、調理台、ガス台等がカウンターの上部側に設けられて、カウンターの下部側には、開き戸や引出し等の収納部分を有する収納ユニットが設けられている。
【特許文献１】特開２００４−２９０５０６号公報
【発明の開示】
【発明が解決しようとする課題】
【０００３】
しかしながら、従来のキッチンキャビネットの収納ユニットは、幅（間口）が決まった収納ユニットであって、収納部分の間口も収納ユニットの間口で制限されるため、幅（間口）の異なる収納ユニットを自由にレイアウトしたいという要望があった。
【０００４】
本発明は、前記要望に応えるためになされたものであり、幅（間口）の異なる収納ユニットをユーザーの好みに応じて自由にレイアウトが可能なキッチンキャビネットを提供することを目的としている。
【課題を解決するための手段】
【０００５】
前記課題を解決するために、本発明は、少なくとも幅が異なる収納ユニットを一定の高さと幅のキャビネット用スペース内に縦横に並設し、必要な収納ユニット同士を連結部で連結してフロアキャビネットを構成し、フロアキャビネットの上部にカウンターを設置したことを特徴とするキッチンキャビネットを提供するものである。
【０００６】
前記連結部は、一方が係止凸部であり、他方が係止凹部であって、前記係止凸部と係止凹部とが嵌り合って係止される構成とすることが好ましい。
【０００７】
前記連結部は、一対の係止凸部を有する連結片と、収納ユニットに設けられた係止凹部とからなり、前記連結片の各係止凸部が隣り合う収納ユニットの係止凹部に嵌り合って係止される構成とすることが好ましい。
【０００８】
前記連結部は、上下の収納ユニット間に配設したスペーサ板と収納ユニットとの間に設けて、上下の収納ユニットがスペーサ板を介して係止される構成とすることが好ましい。
【発明の効果】
【０００９】
本発明によれば、少なくとも幅（間口）が異なる収納ユニットをキャビネット用スペース内に縦横に並設して連結することで構成してなるフロアキャビネットの上部にカウンターを設置したため、幅（間口）の異なる収納ユニットをユーザーの好みに応じて自由にレイアウトが可能となるので、ユーザーの使い勝手が向上するとともに、収納ユニット単体をコンパクトにできるので、施工現場での搬入・組立も容易となる。
【発明を実施するための最良の形態】
【００１０】
以下、本発明を実施するための最良の形態について詳細に説明する。
【００１１】
図１は、本発明の一実施形態におけるキッチンキャビネット１の全体斜視図である。キッチンキャビネット１は、カウンター２とフロアキャビネット３とで構成されている。
【００１２】
カウンター２は、例えば人工大理石製であって、カウンター２の上部には、コンロ（不図示）、シンク２２およびカラン２３等が設けられている。
【００１３】
カウンター２の下部には、フロアキャビネット３が設けられている。フロアキャビネット３は、開き戸や引出し等の収納部分を個々に有して、少なくとも幅（間口）ｗ〔図２（ｂ）のように高さｔが異なっても良い。〕が異なる複数個の小箱状の収納ユニット３１を縦横に組み合わせて構成されており、収納ユニット３１は、底板３２とカウンター２とで決定される高さＴと、左右の側板〔図２（ａ）参照〕３３間で決定される幅Ｗとで画成されるキャビネット用スペース内に、例えば図２（ａ）のように、隙間無く配設されている。なお、各収納ユニット３１の奥行き長さＬ〔図３（ａ）参照〕は一定である。
【００１４】
小箱状の収納ユニット３１の収納部分は、図３（ａ）に示すように、外枠体３１１と、外枠体３１１内に設けられる引出し等（図示せず）からなり、縦方向（上下方向）および横方向（左右方向）に並設可能なように、立方体形状や直方体形状に形成されている。また、外枠体３１１の上部と下部の横桟３１４の適所には連結部３４が設けられている。
【００１５】
図３（ｂ）に示した連結部３４は、下側の収納ユニット３１の上部に係止凸部３１５を設け、上側の収納ユニット３１の下部に係止凹部３１６を設けた構成である。係止凸部３１５は、横桟３１４の上面から互いに対向するＶ字状の一対の可撓性フックを突出して形成している。また、係止凹部３１６は、係止凸部３１５の可撓性フックが嵌り合い可能なフック溝に形成している。
【００１６】
このように形成された係止凸部３１５と係止凹部３１６とは、下側の収納ユニット３１に上側の収納ユニット３１を積み重ねながら、上側の収納ユニット３１を下側の収納ユニット３１方向に強く押え付けると、上側の係止凹部３１６が下側の係止凸部３１５に無理嵌めされることで、下側の収納ユニット３１と上側の収納ユニット３１とが係止されるようになる。
【００１７】
このように、連結部３４を係止凸部３１５と係止凹部３１６とで構成すれば、構成がシンプルで収納ユニット３１同士をワンタッチで係止できるとともに、係止部３４が収納ユニット３１内に隠れるために見栄えもよい。
【００１８】
なお、前記連結部３４は、下側の収納ユニット３１の上部に係止凸部３１５を設け、上側の収納ユニット３１の下部に係止凹部３１６を設けた構成であったが、係止凸部３１５と係止凹部３１６とを逆に設けても良い。
【００１９】
また、図３（ｃ）に示す連結部３４は、一対の係止凸部３１５を上下に有する別体の連結片３１７と、収納ユニット３１に設けられた係止凹部３１６とで構成されている。
【００２０】
このように構成された連結部３４は、先ず、下側の収納ユニット３１の係止凹部３１６に、連結片３１７の下係止凸部３１５を無理嵌めし、ついで、下側の収納ユニット３１に上側の収納ユニット３１を積み重ねながら、上側の収納ユニット３１を下側の収納ユニット３１方向に強く押え付けると、連結片３１７の上係止凸部３１５が上側の収納ユニット３１の係止凹部３１６に無理嵌めされることで、下側の収納ユニット３１と上側の収納ユニット３１とが係止されるようになる。
【００２１】
図３（ｃ）に示した実施形態では、連結片３１７を別体としているため、係止位置の自由度が向上する。すなわち、収納ユニット３１に数箇所の係止凹部３１６を形成しておき、必要な個所の係止凹部３１６を連結片３１７で係止するという係止個所の選択が可能となる。
【００２２】
図４は、連結部３４の他の実施形態であり、上下の収納ユニット３１をスペーサ板３１８を介して係止する構成である。
【００２３】
前記スペーサ板３１８は横長平板部材であり、スペーサ板３１８の上面と下面には係止凹部３１６がそれぞれ設けられている。また、下側の収納ユニット３１と上側の収納ユニット３１には係止凸部３１５がそれぞれ設けられている。
【００２４】
このように構成された連結部３４は、図３（ｃ）の実施形態と同様にして、下側の収納ユニット３１と上側の収納ユニット３１とが係止されるようになる。
【００２５】
そして、スペーサ板３１８で連結された上下の収納ユニット３１の間には、図４（ｃ）に示すように隙間αが形成されるため、隙間αのスペースを利用して引出しに手掛け部３１９を形成できるので、手掛け部３１９の見栄えが良くなって、デザイン性を向上させることができる。
【００２６】
図５に示すように、収納ユニット３１の上部に幅広の連結板３２０を配置して、この連結板３２０を各収納ユニット３１に前記のような連結部３４またはビス等で連結しても良い。この場合、シンク２２の排水トラップ２２１が下方向に張り出すものを設置する場合には、連結板３２０に開口部３２１を形成すれば良い。
【００２７】
前記のように、高さｔや幅ｗの異なる収納ユニット３１を組み合わせて様々なレイアウトが可能である。
【００２８】
すなわち、図２（ａ）のように、収納ユニット３１の内、○で囲んだ番号１の収納ユニット３１を基準とすれば、同番号２の収納ユニット３１は、高さｔが同じで幅ｗが２倍であり、同番号３の収納ユニット３１は、高さｔが同じで幅ｗが３倍であり、これらの収納ユニット３１を、底板３２とカウンター２とで決定される高さＴと、左右の側板３３間で決定される幅Ｗとで画成されるキャビネット用スペース内に、隙間無く配設するようにレイアウトすれば良い。
【００２９】
同様に、図２（ｂ）に示すように、○で囲んだ番号１の収納ユニット３１を基準とすれば、同番号４の収納ユニット３１は、高さｔと幅ｗが２倍であり、これらの収納ユニット３１を、底板３２とカウンター２とで決定される高さＴと、左右の側板３３間で決定される幅Ｗとで画成されるキャビネット用スペース内に、隙間無く配設するようにレイアウトすれば良い。
【図面の簡単な説明】
【００３０】
【図１】本発明のキッチンキャビネット全体を示す斜視図である。
【図２】（ａ）（ｂ）は、それぞれ収納ユニットを組み合わせて構成したキッチンキャビネットの一例を示す図である。
【図３】本発明の収納ユニットであり、（ａ）は、収納ユニットの外枠体の全体を示す図、（ｂ）は、連結部の実施形態を示す側面図、（ｃ）は、連結部の他の実施形態を示す側面図である。
【図４】本発明の連結部の他の実施形態であり、（ａ）は、全体斜視図、（ｂ）は、連結部を示す分解正面図、（ｃ）は、組み立て後の側面図である。
【図５】シンクと連結板との関係を示す斜視図である。
【符号の説明】
【００３１】
１  キッチンキャビネット
２  カウンター
３  フロアキャビネット
３１  収納ユニット
３２  底板
３３  側板
３４  連結部
３１２  引出し
３１３  側面板
３１４  横桟
３１５  係止凸部
３１６  係止凹部
３１７  連結片
３１８  スペーサ板
３１９  手掛け部
Ｗ    幅
Ｔ    高さ
ｗ    幅
ｔ    高さ
【図１】
2007000506.tif 000003
【図２】
2007000506.tif 000004
【図３】
2007000506.tif 000005
【図４】
2007000506.tif 000006
【図５】
2007000506.tif 000007